(57)【要約】    【課題】  ヘッドの重さを変化させることなく重心深度を簡単に調整でき、しかもヘッド重心が簡単に変動しないようにしたパターヘッドを提供する。    【解決手段】  前面に打撃フェイス(13)が形成される一方、シャフト取付け部(14)が設けられたパターヘッドにおいて、打撃フェイスの背後には重錘取付け部(15)を後方に延びて形成し、この重錘取付け部には重錘(17)をスライド可能に支持し、この重錘は取付けねじ(18)の螺進退によって重錘取付け部の任意の位置に固定され重錘取付け部に沿ってスライドされ得るようにする。重錘取付け部は長穴とし、長穴内面に複数の凹部(15C)を形成し、取付けねじの先端又は重錘の突起(18C)を嵌まり込ませる。【選択図】  図１
2006198385.tif 000002
【特許請求の範囲】
【請求項１】
前面に打撃フェイスが形成される一方、シャフト取付け部が設けられたパターヘッドにおいて、
打撃フェイスの背後には重錘取付け部が後方に延びて形成され、該重錘取付け部には重錘がスライド可能に支持され、該重錘は取付けねじの螺進によって上記重錘取付け部の任意の位置に固定される一方、上記重錘は上記取付けねじの螺退によってその固定が解放されて上記重錘取付け部に沿ってスライドされ得るようになっていることを特徴とするパターヘッド。
【請求項２】
上記重錘取付け部はヘッド背面から打撃フェイス背後に向けて延び上記重錘がスライド自在に内蔵される長穴を有し、上記重錘には取付けねじが螺挿され、該取付けねじの螺進によって上記取付けねじの先端が上記重錘から突出し、上記長穴内面に押しつけられて上記長穴内に固定される一方、上記取付けねじの螺退によって上記取付けねじの先端が後退し、上記固定を解放されるようになっている請求項１記載のパターヘッド。
【請求項３】
上記長穴の内面には複数の凹部が長手方向に並べて形成され、該複数のいずれか１つの凹部には上記取付けねじの先端が嵌まり込むようになっている請求項２記載のパターヘッド。
【請求項４】
上記取付けねじの先端部には取付け穴が中心軸線方向に延びて形成され、該取付け穴にはボールがばね部材によって突出方向に付勢して挿入されており、上記ボールが上記凹部に嵌まり込むようになっている請求項２又は３記載のパターヘッド。
【請求項５】
上記重錘取付け部はヘッド背面から打撃フェイス背後に向けて延び上記重錘がスライド自在に内蔵される長穴を有し、上記重錘は上記取付けねじの螺進によってその外径が拡張されて上記長穴内に固定される一方、上記取付けねじの螺退によって上記外径が収縮されて上記固定を解放されるようになっている請求項１記載のパターヘッド。
【請求項６】
上記長穴の内面には複数の凹部が長手方向に並べて形成され、上記重錘の外面には１又は複数の突起が形成されており、上記取付けねじの螺進によって上記重錘の外径が拡張されたときに上記１又は複数の突起が上記複数のうちの対応する凹部に嵌まり込むようになっている請求項５記載のパターヘッド。
【請求項７】
上記長穴の上側又は下側には上記長穴内の重錘よりも小幅でかつ上記重錘の取付けねじを螺進退させるための工具を上記長穴内に差し込み得る幅の長溝が上記長穴に沿って形成されている請求項２ないし６のいずれかに記載のパターヘッド。
【請求項８】
上記重錘取付け部はヘッドを通常のアドレスポジションをとって置いたときのヘッドの垂直投影平面における打撃フェイスに垂直な方向に延びて形成されている請求項１記載のパターヘッド。
【発明の詳細な説明】
【技術分野】
【０００１】
この発明はパターヘッドに関し、特にヘッドの重さを変化させることなく重心深度を簡単に調整できる一方、ヘッド重心の位置を決定した後には競技中にヘッド重心が衝撃等によって変動しないようにしたパターヘッドに関する。
【背景技術】
【０００２】
ゴルフ競技において、ドライバーショットがいくら飛んでも、又アイアンショットがいくら正確であっても、グリーン上で例えば３パットも４パットもしていてはスコアメイクは難しい。
【０００３】
通常、ゴルフコースでは１番から１８番までの各ホールのグリーン毎に傾斜や芝目等の異なる位置にピンを設定し、多くのプレイヤーが自分の技量に応じてプレイを楽しめるようにしている。
【０００４】
ここで、パッティングで大切なことはパターヘッドをいかによいタッチでボールに当てるかどうかである。パッティングのタッチは個々のプレイヤーによって異なるが、一般的に打撃フェイスのスイートスポットの広さや重心深度が密接に関係していることが知られている。
【０００５】
従来、ヘッド本体のトウ側及びヒール側を高比重の材料で構成しあるいはトウ側及びヒール側に重錘を設けて、いわゆるトウ・ヒールバランスを実現し、打撃フェイスのスイートスポットを大きくするようにしたパターヘッドが種々提案されている（特許文献１、特許文献２、特許文献３）。
【０００６】
また、ヘッド本体の背後に重錘を内蔵し、ヘッドの重心深度を深くし、スイングをしやすくして安定したストロークを行えるようにしたパターヘッドも提案されている（特許文献４）。
【０００７】
【特許文献１】特開２００２−１９１７３３号公報
【特許文献２】特開２００１−０６２０１３号公報
【特許文献３】特開平１１−１０４２７９号公報
【特許文献４】特開２００４−２９０５６５号公報
【発明の開示】
【発明が解決しようとする課題】
【０００８】
しかし、上記特許文献４記載のパターヘッドでは自分に合ったタッチを実現し得る重心深度も個々のプレイヤーによって異なるので、自分に最適なパッティングのタッチがなかなか得られない。その為、個々のプレイヤーがヘッド本体に重錘を取付け取外して重心深度を調整する必要があるが、その調整作業が煩わしい。さらには、重錘を取付け取外すと、ヘッドの重さが変化し、同一の重心深度であってもボールに当てた時にタッチが微妙に異なるという問題もあった。
【０００９】
本発明はかかる問題点に鑑み、ヘッドの重さを変化させることなく重心深度を簡単に調整できるようにしたパターヘッドを提供することを課題とする。
【課題を解決するための手段】
【００１０】
そこで、本発明に係るパターヘッドは、前面に打撃フェイスが形成される一方、シャフト取付け部が設けられたパターヘッドにおいて、打撃フェイスの背後には重錘取付け部が後方に延びて形成され、該重錘取付け部には重錘がスライド可能に支持され、該重錘は取付けねじの螺進によって上記重錘取付け部の任意の位置に固定される一方、上記重錘は上記取付けねじの螺退によってその固定が解放されて上記重錘取付け部に沿ってスライドされ得るようになっていることを特徴とする。
【００１１】
本発明の特徴の１つは重錘を取付けねじの螺進によって重錘取付け部の任意の位置に固定し、取付けねじの螺退によって固定を解放して重錘取付け部に沿って前後にスライドできるようにした点にある。
【００１２】
これにより、打撃フェイスから後方の任意の距離に重錘を固定することができるので、プレイヤーはパターヘッドを自分に合ったタッチに簡単に調整することができる。
【００１３】
例えば、重錘を打撃フェイスから離れた位置に来るように調整すると、重心深度が深くなる。重心深度の深いパターの場合、ゴルフプレイヤーがグリップを握ってシャフトを自然に垂下させると、パターヘッドはヘッド重心がグリップの鉛直下方に位置した姿勢をとって安定するので、打撃フェイスはヘッド重心よりも前方に位置する。
【００１４】
すると、パターヘッドをスイングし、打撃フェイスがボールに当たる位置に達した瞬間にはパターヘッドは上述の安定姿勢に達しておらず、その後にヘッドの重さによってヘッド重心がグリップの鉛直下方に位置する上述の安定姿勢を経て前方に移動する。これは打撃フェイスをボールに当てた後のフォロースルーの最初の動作がパターヘッドの重さによって行われることを意味し、後はその勢いを利用してフォロースルーを終わらせればよいので、打撃フェイスを目標に正確に指向させた姿勢でフォロースルーを行うことができ、バックスイングからフォロースルーまでを所望の軌跡で安定にスイングできる。
【００１５】
逆に、重錘を打撃フェイスの近くに位置するように調整すると、上述の安定姿勢の直前で打撃フェイスがゴルフボールに当たるので、プレイヤーはスイングの慣性力がそのままゴルフボールに伝わった感触、つまりゴルフボールをダイレクトに打撃したタッチが得られる。
【００１６】
重心深度とはヘッド重心から打撃フェイスに引いた垂線の長さをいう。また、スイートスポットとはヘッド重心から打撃フェイスに引いた垂線と打撃フェイスとが交差する点（打撃フェイスの中心）から外れた位置でゴルフボールを打撃してもグリップを握る手が痺れないような打撃フェイスにおける領域をいう。
【００１７】
重錘は取付けねじの螺進退によって重錘取付け部に固定し移動し得るようになっていればよい。例えば、重錘取付け部には長穴を形成し、重錘の長手方向の全部又は一部を二分割構造とし、取付けねじを螺進させて重錘の外径を拡張させ、長穴内面に押し付けて固定するようにすると、取付けねじの螺進退による長穴内面の損傷のおそれを回避できるので、好ましい。
【００１８】
即ち、重錘取付け部はヘッド背面から打撃フェイス背後に向けて延び重錘がスライド自在に内蔵される長穴を有し、この重錘は取付けねじの螺進によってその外径が拡張されて長穴内に固定される一方、取付けねじの螺退によって外径が収縮されて固定を解放されるように構成されることができる。
【００１９】
また、重錘を螺挿した取付けねじの先端を重錘取付け部に押し付けて固定するようにしてもよい。即ち、重錘取付け部はヘッド背面から打撃フェイス背後に向けて延び重錘がスライド自在に内蔵される長穴を有し、又重錘には取付けねじが螺挿され、この取付けねじの螺進によって取付けねじの先端が重錘から突出し、長穴内面に押しつけられて重錘を長穴内に固定する一方、取付けねじの螺退によって取付けねじの先端が後退し、固定を解放されるように構成されることもできる。
【００２０】
ゴルフ規則上、パターヘッドについても競技中に重心や重さが変動してはならないことが要求される。そこで、取付けねじが衝撃などによって緩んでも重錘が移動しないように工夫するのが望ましい。
【００２１】
そこで、二分割構造の重錘の場合、長穴の内面には複数の凹部を長手方向に並べて形成し、重錘の外面には１又は複数の突起を形成し、取付けねじの螺進によって重錘の外径が拡張されたときに１又は複数の突起が複数のうちの対応する凹部に嵌まり込むように構成するのが好ましい。
【００２２】
また、取付けねじを重錘に螺挿させる方式の場合、長穴の内面には複数の凹部を長手方向に並べて形成し、この複数のいずれか１つの凹部には取付けねじの先端が嵌まり込むように構成するのがよい。
【００２３】
この構造の場合、取付けねじの先端部には取付け穴を中心軸線方向に延びて形成し、この取付け穴にはボールをばね部材によって突出方向に付勢して挿入し、ボールが凹部に嵌まり込むように構成すると、競技中の重心の変動をより確実に防止できる。
【００２４】
重錘取付け部は打撃フェイスに対して垂直な方向に延びるように形成されていれば、例えばヘッド重心を前後に通るように設けてもよく、又トウ側及びヒール側に各々設けるようにしてもよく、さらにはヘッド重心、トウ側及びヒール側の各々に設けるようにしてもよい。即ち、重錘取付け部はヘッドを通常のアドレスポジションをとって置いたときのヘッドの垂直投影平面における打撃フェイスに垂直な方向に延びて形成されるのが重要である。
【００２５】
また、重錘取付け部はヘッドを通常のアドレスポジションをとって置いたときのヘッドの垂直投影平面におけるヘッド重心の位置を通って形成されることができる。この場合、重錘を重錘取付け部に沿ってスライドさせるだけでヘッド重心の位置を調整できるので、自分にピッタリと合ったタッチのパターヘッドが簡単に得られる。
【００２６】
さらに、重錘取付け部はヘッドのトウ側及びヒール側の各々に形成されることもできる。このヘッドのトウ側及びヒール側に重錘取付け部を設ける場合、ヘッド重心の位置の調整がヘッド重心の位置に重錘取付け部を設ける場合に比して難しくなるが、トウ側及びヒール側の重錘を適宜調整することによって自分に合ったトウ・ヒールバランスが得られ、一旦自分に合ったヘッド重さに調整できると、その後は重錘の前後位置を調整してヘッド重心の位置を調整するだけで自分に最適な大きさのスイートスポットと自分にピッタリと合ったタッチのパターヘッドが簡単に得られる。
【００２７】
重錘取付け部は打撃フェイスの背後から後方に延びて形成され、重錘をスライド可能に支持し得るものであればどのような形状や構造でもよいが、ゴルフ規則上、プレイ中にヘッド重心や重さを調整できるような構造でないことが求められる。
【００２８】
例えば、重錘取付け部はヘッド背面から打撃フェイスに向けて延び重錘をスライド自在に内蔵する長穴とし、長穴のヘッド背面の開口から工具を差し込んで取付けねじを螺進退させ、重錘の少なくとも一部の外径を拡張し収縮させるようにしてもよいが、重錘が長穴の奥方になると工具の差し込みが煩わしい。
【００２９】
そこで、重錘取付け部は上記と同様に、ヘッド背面から打撃フェイス背後に向けて延び重錘がスライド自在に内蔵される長穴とするが、この長穴の上側又は下側には長穴内の重錘よりも小幅でかつ重錘の取付けねじを螺進退させるための工具を長穴内に差し込み得る幅の長溝を長穴に沿って形成するのがよい。
【００３０】
パターヘッドの材料は特に限定されず、どのような材料を用いてもよい。例えば、アルミニウム系の材料（例えば、アルミニウム、アルミニウム合金）、マグネシウム合金その他の軽金属材料、プラスチック材料あるいは複合材料（例えば、ＦＲＰ、Ｃ・ＦＲＰ等）、銅系材料（例えば、銅、真鍮その他の銅合金）、鉄系材料（例えば、鉄鋼、ステンレス）、あるいはタングステンで製作することができる。重錘はパターヘッドよりも比重の大きい材料であればよい。
【発明を実施するための最良の形態】
【００３１】
以下、本発明を図面に示す具体例に基づいて詳細に説明する。図１ないし図４は本発明に係るパターヘッドの好ましい実施形態を示す。図において、パターヘッド１０は例えばアルミニウム系の材料を用いて製作され、パターヘッド１０の前部の横幅方向の一端側部分はトウ１１、他端側部分はヒール１２となっており、又ヘッド１０の前面には打撃フェイス１３がトウ１１からヒール１２にわたって形成されている。
【００３２】
また、パターヘッド１０の前部上面にはヒール１２近くにシャフト取付け穴（シャフト取付け部）１４が形成され、シャフト取付け穴１４にはシャフト２０の下端が固定され、シャフト２０の上端部にはグリップ（図示せず）が設けられている。
【００３３】
さらに、パターヘッド１０には打撃フェイス１３の背後から後方に延びて重錘取付け部１５が形成されている。この重錘取付け部１５はパターヘッド１０を通常のアドレスポジションをとって置いたときのヘッドの垂直投影平面におけるヘッド重心ＣＧｈの位置を通って打撃フェイス１３に垂直な方向に延びて形成されている。
【００３４】
この重錘取付け部１５はほぼ横向きの四角形柱状をなし、重錘取付け部１５には断面円形の長穴１５Ａがヘッド背面１６から打撃フェイス１３に向けて形成され、又重錘取付け部１５の上面には長溝１５Ｂが長穴１５Ａに沿って形成されている。この長溝１５Ｂは後述の重錘１７の外径よりも小幅でかつ重錘１７の取付けねじ１８を操作するための工具１９を差し込み得る幅となっている。
【００３５】
また、長穴１５Ａ内には重錘１７がスライド自在に内蔵されている。この重錘１７には取付けねじ１８が螺挿され、取付けねじ１８の先端は重錘１７から下方に突出されている。他方、長穴１５Ａの底面には複数の凹部１５Ｃが相互に適切な間隔、例えば１〜３ｍｍをあけて長手方向に並べて形成され、複数のうちの１つの凹部１５Ｃには重錘１７から突き出た取付けねじ１８の先端が嵌まり込み、又取付けねじ１８の上端面には工具１９を連結するための凹部が形成されている。
【００３６】
パターヘッド１０の重心深度を調整する場合、重錘取付け部１５の長溝１５Ｂから工具１９を差し込み、取付けねじ１８の凹部に連結して取付けねじ１８を螺退させると、取付けねじ１８の先端が長穴１５Ａの凹部１５Ｃから抜け、重錘１８は長穴１５Ａに沿ってスライド自在となるので、工具１９によって重錘１８を長穴１５Ａ内において前後方向の適切な位置に移動させる。
【００３７】
その後、取付けねじ１８を螺進させて取付けねじ１８の先端を重錘１７から突出させると、長穴１５Ａの凹部１５Ｃの１つに嵌まり込み、さらに取付けねじ１８を螺進させると、重錘１７が長穴１５Ａの内面に押しつけられて固定されるので、グリップを握ってスイングし、打撃フェイス１３をボール３０に当ててタッチを確認し、自分にあったタッチとなるまで上述の調整作業を繰り返せばよい。
【００３８】
今、重錘１８を打撃フェイス１３の近くに位置させて固定すると、図４の(a)に示されるように、ヘッド重心ＣＧｈは打撃フェイス１３に近づく。このような重心深度の浅いパターヘッド１０でパッティングすると、打撃フェイス１３がボール３０に当たった瞬間にはヘッド重心ＣＧｈはボール３０の重心ＣＧｂに接近しているので、プレイヤーはスイングしたパターヘッド１０の慣性力がそのままボール３０に伝わった感触、つまりダイレクトにボール３０を打撃したようなタッチが得られる。
【００３９】
他方、重錘１８を打撃フェイス１３から離れた位置に固定すると、図４の(b)に示されるように、ヘッド重心ＣＧｈは打撃フェイス１３から離れ、重心深度が深くなる。重心深度の深いパターヘッド１０でパッティングすると、打撃フェイス１３がボール３０に当たった瞬間にはヘッド重心ＣＧｈはボール３０の重心ＣＧｂから後方に離れているので、上述のようなボール３０をダイレクトに打撃したようなタッチは得られない。
【００４０】
通常、ゴルフプレイヤーがグリップを握ってシャフトを自然に垂下させると、パターヘッド１０はヘッド重心ＣＧｈがグリップの鉛直下方に位置した姿勢をとって安定する。重心深度の深いパターヘッド１０の場合には打撃フェイス１３がボール３０に当たった瞬間にはパターヘッド１０は上述の安定姿勢に達しておらず、打撃フェイス１３がボール３０に当たった後、パターヘッド１０は自分の重さによってヘッド重心ＣＧｈがグリップの鉛直下方の安定姿勢に達する。つまり、フォロースルーの最初の動作がパターヘッド１０の重さによって行われ、後はその勢いを利用してフォロースルーを終わらせればよいので、打撃フェイス１３を目標に正確に指向させた姿勢でフォロースルーを行うことができ、バックスイングからフォロースルーまでを所望の軌跡で安定にスイングできる。
【００４１】
また、競技中に打撃による衝撃などによって取付けねじ１８が緩むと、重錘１７が移動してしまうことが懸念されるが、本例では取付けねじ１８の先端が長穴１５の凹部１５Ｃに嵌まり込んでいるので、取付けねじ１８が緩んでもその先端が凹部１５Ｃ内に入り込んでいる限りは重錘１８が位置を変えることがない。また、プレイヤーは取付けねじ１８が緩むと、パッティングしたときのパターの感覚が微妙に異なることが分かるので、工具１９で取付けねじ１８を螺進させて締めつければ元の固定状態に戻すことができる。
【００４２】
また、図５は第２の実施形態を示し、図において図１ないし図４と同一符号は同一又は相当部分を示す。本例では取付けねじ１８の先端部に取付け穴１８Ａを中心軸線方向に延びて形成し、この取付け穴１８Ａ内にボール１８Ｂを挿入してコイルばね１８Ｃによって突出方向に付勢して取付けばね１８を構成している。
【００４３】
本例では取付けねじ１８の先端にはボール１８Ｂが突出されるとともに、突出方向に付勢され、長穴１５Ａの複数のうちの１つの凹部１５Ｃ内に嵌まり込んでおり、取付けねじ１７が多少大きく緩んでもボール１８Ｂが凹部１５Ｃから抜け難く、競技中の重心の変動をより確実に防止できる。
【００４４】
図６及び図７は第３の実施形態を示し、図において図１ないし図４と同一符号は同一又は相当部分を示す。本例では重錘１７は上下に２分割され、上方部分１７Ａには取付けねじ１８が螺挿され、取付けねじ１８の先端は重錘１７の下側部分１７Ｂに回転自在に螺合され、取付けねじ１８の上端面には工具１９を連結するための凹部が形成され、又重錘１７の下側部分１７Ｂの底面には突起１７Ｃが形成され、この突起１７Ｃは長穴１５Ａの複数のうちの１つの凹部１５Ｃに嵌まり込んでいる。
【００４５】
取付けねじ１８が工具１９によって螺進されると、上側部分１７Ａと下側部分１７Ｂとが相互に離間されることによって重錘１７の外径が拡張され、重錘１７は長穴１５Ａの内面に押し付けられて固定され、同時に重錘１７の下側部分１７Ｂの突起１７Ｃが長穴１５Ａの凹部１５Ｃに嵌まり込み、重錘１７が長穴１５Ａ内に固定される。
【００４６】
取付けねじ１８を工具１９によって螺退させると、重錘１７の上側部分１７Ａと下側部分１７Ｂとが相互に接近されて長穴１５Ａ内面への押し付けが解除されるとともに、重錘１７の下側部分１７Ｂの突起１７Ｃが長穴１５Ａの凹部１５Ｃから抜け出し、重錘１８は長穴１５Ａに沿ってスライドできるようになる。
【００４７】
なお、上記の例では重錘取付け部１５を１つだけ形成するようにしたが、トウ１１側及びヒール１２側のそれぞれに設けるようにしてもよい。また、上記の例では重錘取付け部１５に長溝１５Ｂを形成したが、長溝１５Ｂは必ずしも形成する必要はない。この場合にはヘッド背面１６の開口から取付けねじ１８を調整できるようにする必要がある。
【００４８】
さらに、上記の例では取付けねじ１８の螺進退によって重錘１７の１つの突起１７Ｃを長穴１５Ａの凹部１５Ｃに嵌まり込ませるようにしたが、重錘１８に複数の突起１７Ｃを形成して複数の凹部１５Ｃに嵌まり込ませるようにしてもよい。また、取付けねじ１８の螺進退によって取付けねじ１８の先端、取付けねじ１８のボール１８Ｂ及び重錘１７の突起１７Ｃを長穴１５Ａの凹部１５Ｃに嵌まり込ませるようにしたが、取付けねじ１８の螺進退のみによって重錘１８を確実に固定できる場合には凹部１８Ｃは必ずしも形成する必要はない。
【図面の簡単な説明】
【００４９】
【図１】本発明に係るパターヘッドの好ましい実施形態を示す斜視図である。
【図２】上記実施形態を示す断面側面構成図である。
【図３】上記実施形態を示す一部断面背面図である。
【図４】上記実施形態における作用を説明するための図である。
【図５】第２の実施形態を示す断面背面構成図である。
【図６】第３の実施形態を示す断面側面構成図である。
【図７】上記実施形態を示す一部断面背面図である。
【符号の説明】
【００５０】
１０      パターヘッド            １１      トウ
１２      ヒール                  １３      打撃フェイス
１４      シャフト取付け部        １５      重錘取付け部
１５Ａ      長穴                  １５Ｂ      長溝
１５Ｃ      凹部                  １６      ヘッド背面
１７      重錘                    １７Ａ      上側部分
１７Ｂ      下側部分              １７Ｃ      突起
１８      取付けねじ              １８Ｂ      ボール
１８Ｃ      コイルばね            １９      工具
２０      シャフト                ３０      ボール
【図１】
2006198385.tif 000003
【図２】
2006198385.tif 000004
【図３】
2006198385.tif 000005
【図４】
2006198385.tif 000006
【図５】
2006198385.tif 000007
【図６】
2006198385.tif 000008
【図７】
2006198385.tif 000009